(57)【要約】【課題】装着感に優れ、且つズレ落ちにくい吸収性物品を提供すること。【解決手段】液透過性の表面シート、液不透過性の裏面シート及び液保持性の吸収体を備え、ウエスト開口部及び一対のレッグ開口部６，６が形成されているパンツ型の使い捨ておむつ１であり、ウエスト回り領域Ｄ及び胴回り領域Ｅがそれぞれ周方向に弾性伸縮性を有しており、該胴回り領域Ｅを、おむつの幅方向に荷重１０Ｎとなるまで伸張させた後、荷重１０Ｎ時の長さと自然長との中間の長さまで収縮させた時点の荷重が０．５〜２．０Ｎであり、一対のレッグ開口部６，６間の幅Ｗ１が最小となる部位が、おむつ下端部１２から腹側に３５〜１４０ｍｍ離間した位置に存在する。【選択図】    図２
2004357949.tif 000002
【特許請求の範囲】
【請求項１】
液透過性の表面シート、液不透過性の裏面シート及び液保持性の吸収体を備え、ウエスト開口部及び一対のレッグ開口部が形成されているパンツ型の使い捨ておむつにおいて、
ウエスト回り領域及び胴回り領域がそれぞれ周方向に弾性伸縮性を有しており、該胴回り領域を、おむつの幅方向に荷重１０Ｎとなるまで伸張させた後、荷重１０Ｎ時の長さと自然長との中間の長さまで収縮させた時点の荷重が０．５〜２．０Ｎであり、
一対の前記レッグ開口部間の幅が最小となる部位が、おむつ下端部から腹側に３５〜１４０ｍｍ離間した位置に存在する使い捨ておむつ。
【請求項２】
展開状態におけるおむつ長手方向全長を２等分する中央線を堺にして区分される前身頃と後身頃とを、前記表面シート側の面同士を面接させて重ね合わせた平面状態において、前記各レッグ開口部の開口縁部に囲まれた各領域の面積ａと、前記前身頃における前記レッグ開口部同士間に位置する領域の面積ｂとの比（ａ／ｂ）が０．３０〜０．７５である請求項１記載の使い捨ておむつ。
【請求項３】
展開状態におけるおむつ長手方向全長を２等分する中央線を堺にして区分される前身頃と後身頃のうちの該前身頃における、一対の前記レッグ開口部間に位置する領域の面積が１５０〜７００ｃｍ２である請求項１又は２記載の使い捨ておむつ。
【請求項４】
一対の前記レッグ開口部間の幅の最小値が１００〜２００ｍｍである請求項１〜３の何れか記載の使い捨ておむつ。
【請求項５】
前記吸収体の幅方向中央部には、該吸収体の長手方向の全長にわたって弾性部材が配されていない請求項１〜４の何れか記載の使い捨ておむつ。
【発明の詳細な説明】
【０００１】
【発明の属する技術分野】
本発明は、装着感に優れ、且つズレ落ちにくい使い捨ておむつに関する。
【０００２】
【従来の技術及び発明が解決しようとする課題】
従来の使い捨ておむつとして、着用時に着用者の胴回りに配される胴回り部に、複数の弾性部材を周方向に配設して胴回りギャザーを形成したパンツ型おむつが知られている（特許文献１参照）。
この使い捨ておむつは、胴回り部に配した弾性部材により、着用者の胴回りとの間に隙間が生じることが防止され、また、着用中における、おむつのズレ落ちが防止されるが、他方において、着用者の胴回りを強く締め付け過ぎる場合が起こり易いという問題がある。
胴回りの締め付け力を低下させるためには、胴回り部の収縮力（伸張応力）を低減させることが考えられるが、その場合には、おむつのズレ落ちが生じやすくなってしまう。
【０００３】
【特許文献１】
特開２００１―４７８号公報
【０００４】
従って、本発明の目的は、装着感に優れ、且つズレ落ちにくい使い捨ておむつを提供することにある。
【０００５】
【課題を解決するための手段】
本発明は、液透過性の表面シート、液不透過性の裏面シート及び液保持性の吸収体を備え、ウエスト開口部及び一対のレッグ開口部が形成されているパンツ型の使い捨ておむつにおいて、ウエスト回り領域及び胴回り領域がそれぞれ周方向に弾性伸縮性を有しており、該胴回り領域を、おむつの幅方向に荷重１０Ｎとなるまで伸張させた後、荷重１０Ｎ時の長さと自然長との中間の長さまで収縮させた時点の荷重が０．５〜２．０Ｎであり、一対の前記レッグ開口部間の幅が最小となる部位が、おむつ下端部から腹側に３５〜１４０ｍｍ離間した位置に存在する使い捨ておむつを提供することにより前記目的を達成したものである。
【０００６】
【発明の実施の形態】
以下、本発明をその好ましい実施形態に基づいて説明する。
第１実施形態の使い捨ておむつは、成人用のパンツ型おむつであり、図１〜３に示すように、液透過性の表面シート２、液不透過性の裏面シート（図示せず）及び液保持性の吸収体４を備え、着用時に着用者の腹側に配される腹側部Ａ’及び背側に配される背側部Ｂ’を有し、腹側部Ａ’の両側縁部Ａ１，Ａ１と背側部Ｂ’の両側縁部Ｂ１，Ｂ１とがヒートシール、高周波シール、超音波シール等の公知の接合手段により接合されて、ウエスト開口部５及び一対のレッグ開口部６が形成されている。
【０００７】
本使い捨ておむつ１は、図３に示すように、吸収性本体１０と、該吸収性本体１０の外面（着用者とは反対側に向けられる面）側に位置して該吸収性本体１０を固定している外装体２０とからなる。吸収性本体１０は、縦長矩形状をなしており、表面シート２、前記裏面シート（図示せず）及びこれら両シート間に挟持固定された吸収体４を具備してなる。吸収性本体１０は、その長手方向を、展開状態（図３に示す状態）におけるおむつ長手方向（図３の上下方向）に一致させ、外装体２０の中央部に公知の接合手段により接合されている。吸収性本体１０の長手方向の両側部には、一対の立体ガード７が形成されている。
【０００８】
第１実施形態における外装体２０は、非ギャザー型の伸縮性シートを用いて形成されており、図３に示すように、おむつ長手方向の中央領域の両側部にレッグ開口部形成用の一対の凹欠部６０，６０を有している。外装体２０の長手方向の両端部には、ウエスト部弾性部材５１が配されており、ウエスト部弾性部材５１は、前記伸縮性シートを折り返した部分に挟持固定されている。
【０００９】
本実施形態のおむつ１は、ウエスト回り領域Ｄ及び胴回り領域Ｅがそれぞれ周方向に弾性伸縮性を有している。
成人用のおむつにおいて、ウエスト回り領域Ｄとは、図２に示すように、ウエスト開口部５の開口周縁端５０から下方に５０ｍｍまでの領域であり、胴回り領域Ｅとは、ウエスト回り領域Ｄよりも下方に位置し且つレッグ開口部６の上端部６２の位置よりも上方に位置する領域である。
本実施形態のおむつ１におけるウエスト回り領域Ｄは、外装体２０を構成する前記伸縮性シート及び該シートに固定された前記ウエスト部弾性部材５１により、実質的にその全周にわたって周方向の弾性伸縮性を発現し、胴回り領域Ｅは、外装体２０を構成する前記伸縮性シートにより、少なくとも腹側部Ａ’及び背側部Ｂ’それぞれの両側部に位置する部分が周方向の弾性伸縮性を発現する。
本発明において、ウエスト回り領域Ｄ及び胴回り領域Ｅは、それぞれ、前身頃及び後身頃の双方において弾性伸縮性を有することが好ましい。前身頃又は後身頃の何れかにおいて全幅に亘って弾性を有していない場合は、活動時にシワが発生し易く着用時の肌に擦れて不快の原因になり易いので好ましくない。
【００１０】
本実施形態のおむつ１における胴回り領域Ｅは、おむつの幅方向に荷重１０Ｎとなるまで伸張させた後、荷重１０Ｎ時の長さと自然長との中間の長さまで収縮させた時点の荷重（以下、胴回り荷重という）が０．５〜２．０Ｎである。胴回り荷重は、胴回り領域Ｅが着用者に与える締め付け力の指標として用いている。
胴回り荷重が０．５Ｎ未満であると、着用時にお腹回りにシワが発生し、そのシワが、活動時にズボン等の重ねて着用される衣類により着用者の肌に擦れて不快の原因となることがあり、２．０Ｎ超であると、お腹回りの締め付け力の低減効果が不充分で、着用者（特に高齢者）にゆったりとした快適な装着感を与えることができない。
ズレ落ちの発生やシワによる不快感の発生を防止しつつ、装着感を一層向上させる観点から、胴回り荷重は０．５〜１．３Ｎであることがより好ましい。
【００１１】
尚、ウエスト回り領域Ｄは、おむつの幅方向に荷重１０Ｎとなるまで伸張させた後、荷重１０Ｎ時の長さと自然長との中間の長さまで収縮させた時点の荷重（以下、ウエスト回り荷重ともいう）が３．０〜５．０Ｎであることが、ウエスト回りの過度の締め付けを防止しつつ、ズレ落ち防止性を一層向上させ得る観点から好ましい。
【００１２】
〔胴回り荷重の測定方法〕
おむつから胴回り領域Ｅを、腹側部側の部分と背側部側の部分とが連結されたリング状の状態のまま切り取り、これをサンプルとする。このサンプルを、水平な面上に、背側部側の部分の外面が、該水平な面に当接するように載置し、自然に収縮した状態における該サンプルの両端部間（左右のサイド接合部２３同士間）の長さを測定して自然長とする。自然長は、サンプルの上縁部と下縁部との間を２等分する中央線に沿って測定する。
そして、そのサンプルをたるませて、テンシロン引っ張り試験機〔（株）オリエンテック社製、「ＲＴＣ−１１５０Ａ」〕のチャック間に固定し、その時の荷重をゼロとする。その後速度３００ｍｍ／ｍｉｎで、おむつ幅方向と同じ方向に荷重が１０Ｎとなるまで伸張させ、次いで、チャックの移動方向を逆にして同じ速度で荷重ゼロとなるまで収縮させる。
そして、荷重１０Ｎとなるまで伸張させたときのサンプル長を強伸張時長とし、収縮（戻り）過程における、該強伸張時長と前記自然長との中間の長さ〔（強伸張時長−自然長）／２〕となった時点の荷重を、胴回り荷重とする。
【００１３】
〔ウエスト回り荷重の測定方法〕
おむつからウエスト回り領域Ｄを、腹側部側の部分と背側部側の部分とが連結されたリング状の状態のまま切り取り、これをサンプルとする以外は、上述した胴回り荷重の測定方法と同様にして測定する。
【００１４】
また、本実施形態のおむつ１は、一対のレッグ開口部６，６間の幅Ｗ１（図２参照）が最小となる部位が、おむつ下端部１２から腹側に３５〜１４０ｍｍ離間した位置に存在している。即ち、本実施形態のおむつ１は、図３に示すように、レッグ開口部６形成用の凹欠部６０の形状を、おむつ下端部（展開状態においては中央線ＣＬ上に位置する部位）１２を堺にして背側部Ｂ’側の後身頃Ｂよりも腹側部Ａ’側の前身頃Ａを大きく切り欠いた形状としてあり、一対のレッグ開口部６，６間の幅Ｗ１が最小となる部位が、前身頃Ａに位置しており、おむつ下端部１２から前記幅Ｗ１が最小値を示す部位までの距離Ｌ１（図２参照）が３５〜１４０ｍｍである。一対のレッグ開口部間の幅Ｗ１及び該幅が最小となる部位のおむつ下端部からの離間距離Ｌ１は、後述する平面状態において測定する。尚、前記幅Ｗ１が最小値を示す部位が、おむつ長手方向に幅を有し領域として存在する場合、その幅を２等分する線（おむつ幅方向に延びる線）までの距離を、おむつ下端部からの離間距離Ｌ１とする。
【００１５】
本発明者らは、おむつズレ落ちの原因について鋭意研究した結果、前身頃（おむつ下端部を堺にした腹側部側）における、着用者の大腿部周辺に配される部位が、歩行時の脚の動きにより下方へのズレ落ち力を発生させることを知見し、更に一対のレッグ開口部が最接近する部位を腹側方向に移動することによりそのズレ落ち力を低減させることができることを見いだした。
本実施形態のおむつ１は、斯かる構成を有することにより、胴回り荷重を上記のように低めに設定しても、歩行時におけるおむつのズレ落ちを防止することができ、お腹回りにゆったりとした快適な装着感を与えることと、ズレ落ちを生じさせないという、相反する要請を同時に達成することができる。
【００１６】
前記距離Ｌ１が３５ｍｍ未満であると、発生するズレ落ち力が大きくなり、ズレ落ちを防止しつつ胴回り荷重を充分に低減させることが困難になる。前記距離Ｌ１が１４０ｍｍ超であると、ズレ落ちは生じにくくなるが、起立時の背中側のたるみが大きくなり、その状態で着座すると背中側の吸収体のよれが発生し易く防漏効果が低下する恐れがある。
前記距離Ｌ１は、ズレ落ちを防止しつつ装着感を一層向上させる観点から５０〜１２０ｍｍであることが好ましい。
【００１７】
本実施形態のおむつ１は、図２に示すように、展開状態におけるおむつ長手方向の全長を２等分する中央線ＣＬを堺にして区分される前身頃Ａと後身頃Ｂとを、前記表面シート２側の面同士を面接させて重ね合わせた平面状態（以下、単に平面状態ともいう）において、各レッグ開口部６の開口縁部６Ａ，６Ｂに囲まれた各領域Ｐ１の面積ａと、前身頃Ａにおける前記レッグ開口部６，６同士間（前身頃Ａに存する開口縁部６Ａ，６Ａ同士間）の領域Ｐ２の面積ｂとの比（ａ／ｂ）が０．３０〜０．７５、特に０．３〜０．５であることが好ましい。尚、前記面積ａは、各レッグ開口部について測定する。
【００１８】
平面状態における前記各領域Ｐ１，Ｐ２の面積（後述するその他の寸法等も同様）を測定する際には、後述する第２実施形態のおむつのように、前身頃Ａ又は後身頃Ｂにおけるレッグ開口部間にギャザーにより弾性伸縮性が付与されている場合には、該ギャザーを設計寸法まで引き延ばした状態として測定するが、本実施形態のおむつ１のように、非ギャザー型の伸縮性シートにより、前身頃Ａ又は後身頃Ｂのレッグ開口部間に弾性伸縮性が付与されている場合には、伸縮性シートに外力を作用させない状態（引き延ばさない状態，自然状態）において測定する。
但し、非ギャザー型の伸縮性シートにより弾性伸縮性が付与されている場合においても、伸縮性シート以外に、測定値に影響を与える弾性部材が存在する場合には、その弾性部材の収縮力の影響を排除した状態で測定する。例えば、前記ウエスト部弾性部材５１は、該ウエスト部弾性部材を除去したり切断したりして収縮力を発現しないようにするか、又は該ウエスト部弾性部材が存在しない場合と同じ寸法まで拡げて固定した状態（緊張状態）にして測定する。
【００１９】
前記比（ａ／ｂ）を０．３０以上とすることにより、装着感が一層確実に向上し、前記比（ａ／ｂ）を０．７５以下とすることにより、吸収体の配置面積が不充分となることによる吸収性能の低下等の不都合を防止することができ、また、高齢者の嗜好に適合しない、下腹部の過度の露出を防ぐこともできる。更に、０．３０〜０．７５の範囲内とすることで、レッグ開口部に対する脚の挿通性を向上させることもできる。
【００２０】
本実施形態のおむつ１は、装着感を一層確実に向上させ、また、吸収性能の低下や高齢者の嗜好への不適合といった不都合を一層確実に防止する観点から、前記前身頃Ａにおける、一対の前記レッグ開口部６，６間に位置する領域Ｐ２の面積ｂは、本実施形態のように、非ギャザー型の伸縮性シートにより弾性伸縮性が付与されている場合（以下、非ギャザー型の場合ともいう）、１５０〜３００ｃｍ２、特に２００〜３００ｃｍ２であることが好ましく、後述する第２実施形態のおむつのように、不織布等のシート材に弾性部材を伸張状態で固定してギャザーを形成させることにより弾性伸縮性を付与した場合（以下、ギャザー型の場合ともいう）、３００〜７００ｃｍ２、特に４００〜６００ｃｍ２であることが好ましい。
また、同様の観点から、前記平面状態において、各レッグ開口部６の開口縁部６Ａ，６Ｂに囲まれた各領域Ｐ１の面積ａは、非ギャザー型の場合、４５〜１００ｃｍ２、特に６０〜１００ｃｍ２であることが好ましく、ギャザー型の場合、９０〜２５０ｃｍ２、特に１２０〜２００ｃｍ２であることが好ましい。
【００２１】
また、同様の観点から、前記平面状態において、両レッグ開口部６，６間の幅Ｗ１の最小値は１００〜２００ｍｍ、特に１２０〜１８０ｍｍであることが好ましい。
【００２２】
尚、本明細書において、非ギャザー型の伸縮性シートとは、少なくともおむつ幅方向（前身頃又は後身頃の幅方向）に弾性伸縮性を示すシートであって、シート材（不織布等）に弾性部材を伸張状態で接着固定して形成されたギャザーを有しないものであるか、又はそのようなギャザーを有するものであっても襞が微細で下記方法により測定したシートの厚みが２．０ｍｍ以下のものをいう。
【００２３】
（厚みの測定方法）
ＫＥＹＥＮＣＥ社製の非接触型ＣＣＤレーザー変位センサＬＫ−０８０を用いて、５０ｍｍ×５０ｍｍのアクリル板（荷重０．６ｇ／ｃｍ２）をのせた時の厚みを測定する。
【００２４】
非ギャザー型の伸縮性シートとしては、例えば、不織布の内部に弾性糸を固定したものを用いることができ、前記不織布としては、ポリエステル、ポリポロピレン、ポリエチレン、アクリル、レーヨン等の繊維を単一又は複合して用いた湿式法、乾式法、スパンレース法、メルトブローン法、スパンボンド成形法によって形成される不織布等が挙げられ、前記弾性糸としては、伸縮性を有するゴム糸やポリウレタン弾性糸等が挙げられ、不織布内部への弾性糸の固定方法としては、不織布繊維層に伸縮性繊維を編み糸によってステッチ縫合する方法等が挙げられる。
【００２５】
非ギャザー型の伸縮性シートとしては、また、エラストマー材料からなるシートの片面又は両面に伸縮性を有する繊維集合体を積層して一体化してなるシートを用いることができる。
エラストマー材料としては、天然ゴム、ブタジエン、イソプレン等の合成ゴム等が好ましく用いられる。エラストマー材料からなるシートとしては、エラストマー材料をフィルム化して得られる弾性フィルム、エラストマー材料からなる弾性繊維を、ネット状に成形したり不織布化したシート等が好ましく用いられる。
前記繊維集合体としては、熱可塑性ポリウレタン繊維、高捲縮性のポリエチレン繊維、高捲縮性のポリエステル繊維等を用いることができる。エラストマー材料からなるシートに繊維集合体を固定する方法としては、シートに繊維集合体を熱融着により固定する方法等が挙げられる。
【００２６】
非ギャザー型の伸縮性シートとしては、各種公知のものを用いることができ、例えば特開２０００−１６０４６０、特開２００２−１８７２２８の各公報記載のもの等を用いることもできる。
【００２７】
次に、第２実施形態の使い捨ておむつ１’について説明する。第２実施形態のおむつ１’は、外装体の構成が上述したおむつ１と異なる以外は、上述したおむつ１と同様であるため、同様の構成要素には同一の符号を付し、以下においては、主として上述したおむつ１と異なる点について説明する。特に説明しない点は、上述した使い捨ておむつ１についての説明が適用される。
【００２８】
第２実施形態のおむつ１’における外装体２０’は、図４に示すように、おむつの外表面（着用者とは反対側に向けられる面）を形成する外層シート２１と、該外層シート２１に隣接してその内側に積層接着された内層シート２２とを具備し、これら両シート間に、後述する各種の弾性部材５１、６１、７１が、ホットメルト型接着剤等の接着剤を用いて固定されている。
【００２９】
第２実施形態のおむつ１’においては、ウエスト開口部の開口周縁部に周方向に沿ってウエストギャザー形成用のウエスト弾性部材５１が配設されており、一対のレッグ開口部それぞれの開口周縁部にもその周方向に沿ってレッグ弾性部材６１が配設されている。更に、ウエスト開口縁端５０から股下方向に５０ｍｍ離間した位置から、レッグ開口部６の上端縁６２の位置までの範囲である胴回り領域Ｅにも、胴回り方向に沿って複数本の胴回りギャザー形成用の胴回り部弾性部材７１が配設されている。
【００３０】
第２実施形態のおむつ１’においては、弾性部材６１により形成されたギャザーにより、前身頃Ａ及び後身頃Ｂそれぞれのレッグ開口部同士間に弾性伸縮性が付与されており、また、胴回り部弾性部材７１及びウエスト弾性部材５１の存在の有無がレッグ部同士間の寸法に影響を与えるため、これらの弾性部材５１，６１，７１の収縮力の影響を排除した状態で、平面状態における前記各領域Ｐ１，Ｐ２の面積（おむつ１に関して説明した平面状態における各部の寸法等も同様）を測定する。具体的には、弾性部材５１，６１，７１は、各弾性部材を除去したり切断したりして収縮力を発現しないようにするか、又は各弾性部材が存在しない場合と同じ寸法まで拡げて固定した状態（緊張状態）で測定する。
【００３１】
本実施形態のおむつ１’においても、胴回り荷重が０．５〜２．０Ｎであり、一対の前記レッグ開口部間の幅が最小となる部位が、おむつ下端部から３５〜１４０ｍｍ腹側に位置しており、そのため、第１実施形態と同様の作用効果が奏される。
【００３２】
第２実施形態のおむつ１’においては、弾性部材６１、７１が、左右に分割配置されており、何れの弾性部材６１，７１も、吸収体４の少なくとも幅方向中央部においては弾性伸縮性を発現していない。本発明のおむつは、第２実施形態のおむつ１’のように、吸収体４の幅方向中央部には、該吸収体４の長手方向の全長にわたって弾性部材が配されていないことが好ましい。
本発明のおむつにおいては、吸収体の幅が従来のものに比して狭くなる傾向にあるため、吸収体の幅が弾性部材の収縮力により更に狭くなると、歩行時の活動によって、吸収体の位置が着用者の排泄部の位置からずれて漏れを発生させる恐れが生じる。吸収体４の幅方向中央部に弾性部材を配さないことで、吸収体の幅を広く維持してこのような不都合を防止することができる。
【００３３】
上述した各実施形態の使い捨ておむつにおける各部の形成材料について説明する。表面シート２、前記裏面シート、吸収体４、立体ガード７、外層シート２１及び内層シート２２等の形成材料としては、従来の使い捨ておむつ等において用いられている各種の材料を用いることができる。前記弾性部材５１、６１、７１の形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプの糸状のもの等を用いられる。
【００３４】
以上、本発明の好ましい実施形態について説明したが、本発明は、上述した実施形態に制限されない。
本発明の使い捨ておむつは、成人用、特に高齢者用に適しているが、幼児用に適用することもできる。幼児用のおむつの場合には、ウエスト回り領域Ｄは、ウエスト開口部の開口周縁端から３０ｍｍ下方までの領域とし、胴回り領域Ｅは、そのウエスト回り領域Ｄよりも下方に位置し且つレッグ開口部６の上端部６２の位置よりも上方に位置する領域とする。
【００３５】
【実施例】
＜実施例１＞
外装体形成用の伸縮性シート（非ギャザー型のシート）として東レ・デュポン社製の「ＭＥＸＬＡＲ」を用い、第１実施形態のおむつと同様の構成を有するおむつを製造した。
【００３６】
＜実施例２＞
外装体形成用の外層及び内層シートとして何れも不織布を用いて、第２実施形態のおむつと同様の構成を有するおむつを製造した。
製造した実施例の各おむつについて、ウエスト回り荷重、胴回り荷重、一対のレッグ開口部間の幅Ｗ１の最小値、該最小値を示す部位のおむつ下端部からの離間距離（腹側方向への離間距離）Ｌ１、前記領域Ｐ１の面積ａ（左右の平均値，左右各別の値もほぼ同じ）、前記領域Ｐ２の面積ｂ、前記比（ａ／ｂ）等を測定して表１に示した。
【００３７】
＜比較例１〜４＞
胴回り荷重及び前記距離Ｌ１が表１に示す値を示す以外は、実施例２と同様の構成を有する使い捨ておむつを製造した。
【００３８】
尚、実施例２及び比較例１〜４は、外装体にギャザーにより弾性伸縮性を付与したタイプであり、各部の弾性部材を設計寸法まで伸張させた状態で平面状態における各部の面積等を測定した。
【００３９】
＜性能評価＞
実施例及び比較例の使い捨ておむつについて、装着感及びズレ落ち防止性をそれぞれ下記の方法で評価した。結果を表１に示した。
【００４０】
１）装着感（お腹回りのゆったり感）
成人２０名に、実施例及び比較例の各おむつを装着してもらい、以下の基準で装着感を評価してもらった。表１には、「お腹まわりが圧迫感がなく快適」と回答した人数を示した。
（評価基準）
○；お腹まわりが圧迫感がなく快適
△；どちらともいえない
×；圧迫感があり不快
【００４１】
２）ズレ落ち防止性（歩行時）
実施例及び比較例の各おむつを、立位で両脚を前後させる歩行運動が可能であり、形態的に成人女性の腰部を模してある可動式の腰部モデルに、ウエスト開口周縁端（上端縁）の位置がウエスト（胴の最も細い位置での周長線上）に位置するように装着した。その状態で１００歩／分の歩行速度で５分間歩行運動をさせ、
運動後に１５０ｃｃの人口尿を注入して更に５分間歩行させ、その後更に１５０ｃｃの人口尿を注入して５分間歩行させ、その歩行運動後に、ウエスト開口周縁端（上端縁）の位置が元の位置からズレた距離（ズレ落ち量）を測定した。
【００４２】
【表１】
2004357949.tif 000003
【００４３】
表１に示す評価結果から、実施例のおむつは、装着感及びズレ落ち防止性の何れにも優れていることが判る。これに対して、胴回り荷重又はＬ１の値が本発明の範囲から外れるものは装着感及びずれ落ち防止性の少なくとも一方が劣ることがわかる。つまり優れた装着感及びずれ落ち防止性を両立するためには、本発明が有効であることが判る。
【００４４】
【発明の効果】
本発明の使い捨ておむつは、装着感に優れ、且つズレ落ちにくいものである。
【図面の簡単な説明】
【図１】図１は、本発明の一実施形態としての使い捨ておむつを示す斜視図である。
【図２】図２は、図１の使い捨ておむつの展開状態における長手方向の全長を２等分する中央線を堺にして区分される前身頃と後身頃とを、前記表面シート側の面同士を面接させて重ね合わせた平面状態を、前身頃側から見た図であり、前身頃の一部を破断してある。
【図３】図３は、図１の使い捨ておむつを展開した状態を示す平面図である。
【図４】図４は、本発明の他の実施形態としての使い捨ておむつを展開した状態を一部破断して示す平面図である。
【符号の説明】
１，１’  使い捨ておむつ
２    表面シート
４    吸収体
５    ウエスト開口部
６    レッグ開口部
６Ａ  レッグ開口部の前身頃に位置する開口縁部
６Ｂ  レッグ開口部の後身頃に位置する開口縁部
１０  吸収性本体
１２  おむつ下端部
２０，２０’  外装体
Ｐ１  各レッグ開口部の開口周縁に囲まれた領域
Ｐ２  両レッグ開口部間に位置する領域
Ａ    前身頃
Ｂ    後身頃
【図１】
2004357949.tif 000004
【図２】
2004357949.tif 000005
【図３】
2004357949.tif 000006
【図４】
2004357949.tif 000007